(57)【要約】【課題】放電領域と蛍光体表面との位置関係により、従来の放電セルの構造では、紫外線の利用効率がまだ低い。【解決手段】本発明によるＰＤＰの背面パネルは、ガラス基板上に形成されたデータ電極に平行なストライプ状の第１の隔壁と、一対の表示電極に平行で表示電極空間の中間下に設けられた導電性を有する第２の隔壁とを有し、第２の隔壁は第１の隔壁よりも低く形成され、その上面および側面にも蛍光体が塗布されている。本発明の第２の隔壁は表示電極対に平行で、表示電極空間の中間下に存在することで、第２の隔壁の上面に塗布された蛍光体は、維持放電により表示電極対を軸として円弧状に発生する放電空間に近接するために発光効率が大きく、また、導電性の第２隔壁が表示電極対に接近するためアドレス駆動の高速化と安定化が図れる。【選択図】図１
2007012493.tif 000002
【特許請求の範囲】
【請求項１】
電極対を構成する走査電極と維持電極からなる表示電極群及び誘電体ガラス層と保護層が配設された前面パネルと、データ電極群と誘電体層と蛍光体層及び隔壁群が配設された背面パネルとが、間隔を置いて対向された２枚のパネル間に放電ガスが充填されてなる放電空間を有するプラズマディスプレイパネルであって、前記背面パネル上に設けられたデータ電極に平行なストライプ状の複数の第１の隔壁と、前記前面パネル上に設けられた一対の表示電極と平行な背面パネル上に設けられた導電性を有する第２の隔壁とを有し、前記第２の隔壁が前記一対の表示電極空間の中間下に配置され、且つ側面と上面に蛍光体が塗布されていることを特徴とするプラズマディスプレイパネル。
【請求項２】
第２の隔壁の高さが第１の隔壁の高さの２７％〜６４％であることを特徴とする請求項１に記載のプラズマディスプレイパネル。
【請求項３】
導電性を有する第２の隔壁が、低融点ガラスと導電性を有する酸化物あるいは、金属の混合物から成ることを特徴とする請求項１に記載のプラズマディスプレイパネル。
【請求項４】
導電性を有する酸化物が、酸化インジウム、酸化ルテニウム、酸化パラジウム、酸化鉄、酸化マンガン、酸化チタンの内のいずれか一種以上から成ることを特徴とする請求項３に記載のプラズマディスプレイパネル。
【請求項５】
金属が、銀、銅、金、鉄、クロムの内のいずれか一種以上から成ることを特徴とする請求項３に記載のプラズマディスプレイパネル。
【請求項６】
第２の隔壁の導電性が１０Ω・ｃｍ〜１０8Ω・ｃｍの比抵抗値を有することを特徴とする請求項１、３に記載のプラズマディスプレイパネル。
【請求項７】
背面パネル中の誘電体層の比抵抗値が１０9Ω・ｃｍ〜１０12Ω・ｃｍであることを特徴とする請求項１に記載のプラズマディスプレイパネル。
【請求項８】
背面パネル上の誘電体層の膜厚が１５μｍ以下であることを特徴とする請求項１に記載のプラズマディスプレイパネル。
【請求項９】
放電ガスが中のＸｅ濃度が５％以上であることを特徴とする請求項１に記載のプラズマディスプレイパネル。
【発明の詳細な説明】
【技術分野】
【０００１】
本発明はプラズマディスプレイパネルにおいて、隔壁構造の改善により発光効率の改善と書き込み時の高速安定化を可能にする技術に関する。
【背景技術】
【０００２】
図４は現在、実用化されているＡＣ面放電型ＰＤＰ表示装置の斜視図であって、ガラス基板１１の片面にストライプ状に形成された走査電極と維持電極からなる表示電極対１２、これらの表示電極対１２を覆う低融点ガラスから成る誘電体層１５およびＭｇＯから成る保護膜１６を備えた前面パネル１０と、もう一方のガラス基板２１の片面にストライプ状に形成されたデータ電極２２、これらのデータ電極２２を覆う誘電体層１５、放電空間を区画するストライプ状の高さ１００μｍ程度の隔壁２３、隔壁２３間の溝に塗布された蛍光体層２４を備えた背面パネル２０とが電極面を対向させて積層し、隔壁２３で決まる空隙に、放電電圧があまり上昇せず、アドレス駆動時に放電ミスを起こさないため、Ｘｅの量が５％前後のＮｅ−Ｘｅ系やＨｅ−Ｘｅ系の放電ガスが充填された構造である。表示電極対１２とデータ電極２２は直交していて、その交差部が放電セル１７になる。つまり、放電セル１７はマトリクス状に配列され、表示電極対１２の方向に並ぶ赤色、緑色、青色の蛍光体層を有する放電セルがカラー表示のための画素になる。
【０００３】
一般に、交流型のＰＤＰを用いたプラズマディスプレイパネルでは、１フレームの画像を複数のサブフィールド（SF）に分割することによって階調表現をする方式が用いられている。そして、この方式では、セル中の気体の放電を制御するため１SFを更に４つの期間〔初期化期間（セットアップ期間）、アドレス期間、維持期間（サステイン期間）、消去期間（イレース期間）〕に分割する。初期化期間では、放電を生じ易くするためＰＤＰ内の全セルに均一的に壁電荷を蓄積させる。アドレス期間は、点灯させる場所（セル）にデータを書き込むための期間であり、走査電極１２（表示電極対のいずれか一方）とデータ電極２２の間にデータパルスを印加し放電を発生させる事によって行う。維持（サステイン）期間では前記アドレス期間で書き込まれたセルを点灯させ、その点灯を維持電極対に電圧を印かして維持放電させる。消去期間では壁電荷を消去させることによってセルの点灯を停止させる。
【０００４】
この構造のＰＤＰ表示装置は、維持放電期間において面放電を構成する表示電極対１２間に印加されるパルス電圧によって、書き込み期間に選択された放電セル１７の維持電極１２間で放電が起こり、この放電によって発生した紫外線が蛍光体を励起して可視光が発射され、この可視光が保護膜１６、誘電体層１５等を透過することにより画像または映像を表示することができる。
【０００５】
一般に、ＡＣ面放電型のプラズマディスプレイパネル（以下、ＰＤＰと記す）は以上のような構造を有するが、塗布されている蛍光体層の輝度を高めることと、アドレス時(データ書き込み時)の誤放電がなく安定にパネルを駆動する事が重要な課題とされ、種々のアプローチで開発が進められている。図５は特許文献１および２に記載されているＰＤＰの隔壁形状を示す斜視図である。データ電極と平行方向に背面板に形成される隔壁１と、前面板に設けられたバス電極と並行方向に背面板に形成される補助隔壁２とを有し、隔壁１および補助隔壁２の壁面とセル底面を覆って蛍光面が形成されている。この構造では、補助隔壁２を持たないセル構造と比べ、蛍光面の発光面積を広げることが可能であり、蛍光面に紫外線を効率よく作用させることができ、発光効率を改善、輝度を高められる。また、補助隔壁２によってデータ電極とバス電極によって特定される放電空間を他の放電空間から分離でき、隣接する表示セル部に対する放電や紫外線の漏洩を防止できる。
【０００６】
また、特許文献３には、放電空間を区画するストライプ状の隔壁間に高さのより低い突起を設け、前記突起部の表面を含めて、基板側の単位発光領域内の壁面に、蛍光体を形成することにより、放電セル内の蛍光体の有効面積を大きくすることができ、高輝度、高発光効率化が可能となるＰＤＰの構造が記載されている。また、この構造では、突起頂部にデータ電極を設けることにより放電セルへの書き込み動作を確実にできる。
【０００７】
さらに、特許文献４には、放電ガス中のＸｅ量を５％以上に増加させて、Ｘｅから生じる紫外線量を増やし、高輝度化を図る試みをなされている。このＸｅ量の多い放電ガスの構成では、輝度は向上するが、放電電圧が高くなり、しかも放電の遅れが生じるため、アドレス時に誤放電がなくデータ情報を書き込みする事が難しくなる。
【特許文献１】特許第３４４０３５２号公報
【特許文献２】特許第３４７５３３３号公報
【特許文献３】特許第３４４０８３３号公報
【特許文献４】特開平１０−１２５２３７号公報
【非特許文献１】フラットパネル大辞典、（株）工業調査会、2001年12月25日、ページ４８１−４８２
【発明の開示】
【発明が解決しようとする課題】
【０００８】
しかしながら、ＡＣ面放電型のＰＤＰ表示装置はＣＲＴ表示装置に比べ依然として発光効率が低いと言う課題がある。特に、近年期待されている高精細のフルスペックのハイビジョテレビを作成しようとすると、フルスペックのハイビジョンの画素は１９２０(水平)×１０８０(垂直)であり、従来のＮＴＳＣの画素数である８５２(水平)×４８０(垂直)と比較して、約６倍に増加する。従って、同じ４２インチのパネルで比較すると、１セルピッチ(１隔壁ピッチ)が０．３６ｍｍ(水平)から０．１６ｍｍ(水平)と小さくなってしまい、その結果放電空間が減少して、放電電圧の上昇や輝度効率の低下が顕在化すると言う課題がある。また、画素数が増加するに従い、誤放電なくアドレス駆動を高速化することも大きな課題となる。
【０００９】
この二つの課題(輝度低下とアドレス駆動の高速安定化)を改善するために放電セルの構造や駆動方法等の面から種々の工夫がなされている。
【００１０】
隔壁構造の面からは、特許文献１および２、特許文献３に記載されているように、補助隔壁や放電セル中に突起を設けることにより、補助隔壁の壁面や突起部上に蛍光体を塗布、放電セルへの蛍光体の付着量、蛍光体の表面積を増やして発光輝度を高める方法が開発されている。また、突起頂部にデータ電極を設けることにより放電セルへの書き込み動作の高速化を図っている。
【００１１】
（１）輝度低下の課題について。
【００１２】
しかしながら、ＡＣ面放電型のＰＤＰでは、維持電極に電圧が印加されて発生する紫外線の強度は、電界強度の強い保護層（ＭｇＯ層）の近傍であるため、従来の放電セルの構造では、紫外線の強度の強い放電領域と、蛍光体表面との距離が離れているため、紫外線が蛍光体層に届くまでに減衰し、結果として、その利用効率が低くなると考えられる。特に従来のＸｅの含有量が５％程度の放電カ゛スでは、放電領域で生ずる紫外線がＸｅの共鳴線であるため、自己吸収を起こし(例えば、非特許文献１)、蛍光体層と放電領域の距離が離れると紫外線の減衰率が大きくなっていた。
【００１３】
従って紫外線をより強く受けて効率よく発光するためには、放電領域と蛍光体膜を近づける必要がある。
【００１４】
しかし、従来例の放電セルでは、放電領域と側壁上部に塗布された蛍光体層との距離は、比較的短いが、放電領域と隔壁底部に塗布された蛍光体膜との距離は大きくなる。従って、側壁上部に塗布された蛍光体からの発光は強いが、隔壁底部に塗布された蛍光体からの発光は弱くなるため輝度向上は図りにくかった。
【００１５】
一方、この解決策として、特許文献３には、放電セル内に突起を設けそこにも蛍光体を塗布して、輝度の向上を図ることが記載されているが、突起部は表示電極対に直交する方向に設けられており、突起部は放電領域に近ずくが、放電領域に近接している突起部はごく一部はであり、放電により発生する紫外線の利用効率はまだ高くはないと考えられる。
【００１６】
又一方、放電領域と蛍光体層を近づけるために、隔壁の高さを全体に低くすれば良いが、隔壁の高さを全体的に低くすると、放電空間が少なくなり、放電のエネルギーが壁面に吸収され、返って輝度効率が低下するので好ましくない。従って、従来のＰＤＰの放電空間としては少なくとも５０μｍ〜１２０μｍ必要とされてきた。
【００１７】
（２）アドレス駆動の高速安定化の課題について。
【００１８】
また、高精細化に伴う、アドレス駆動の高速安定化については、特許文献３に記載されているように、放電空間を区画するストライプ状の隔壁間に、前記隔壁の高さより低い突起を設け、その突起上部表面にアドレス電極を設けることで、走査電極とアドレス電極とが接近し、放電電圧が下がり、アドレス駆動の高速化が可能であるとしている。しかし、特許文献３に記載されている放電セル内の突起上のデータ電極は、表示電極対に直交する方向に設けられており、突起部は放電領域に近ずくが、表示電極対と対向しているデータ電極部分は、突起部のごく一部(交差部のみ)であり、表示電極と対向しているデータ電極部分の対抗面積が小さく（４２インチのフルスペックハイビジョンで、０．０５ｍｍ2程度）、高精細パネルにおいては十分に高速アドレス放電(アドレス時の放電は、沿面放電ではなく、対向放電である。)が行えず、パネルにちらつきが見られる。また隔壁より低い突起部の上部のみに電極を精度良く塗布することはパネル作成上コストアップにつながり、好ましくない。
【００１９】
以上述べたように、従来の施策では、高精細化に伴う上記２つの課題（輝度効率の低下と誤放電なくアドレス駆動を高速化する課題）は十分に解決されていない。
【００２０】
本発明は隔壁構造の改善および放電セルの構造の改善によって、発光効率が高くしかも高速アドレス駆動が可能な隔壁構造を有するＰＤＰを提供する。
【課題を解決するための手段】
【００２１】
本発明によるＰＤＰの背面パネルは、ガラス基板上に形成されたデータ電極に平行なストライプ状の第１の隔壁と、維持電極と走査電極からなる表示電極対に平行で、表示電極対の下面に設けられた導電性を有する第２の隔壁とを有し、第２の隔壁は第１の隔壁よりも低く形成され、その上面および側面にも蛍光体が塗布されている構成である。
【００２２】
この構成により、前記２つの課題の内の輝度向上については、第２の隔壁上面に塗布された蛍光体は放電領域全面にわたって近接するので、紫外線の利用効率が大で、発光輝度が大きくなる。つまり、本発明の第２の隔壁が表示電極対に平行で、表示電極の下方に存在していることで、第２の隔壁の上面に塗布された蛍光体は、維持放電により表示電極対を軸として円弧状に発生する放電空間に近接するため、発光効率が大きくなる。更に好ましくは、前記第２の隔壁が対をなす表示電極対の中間線の直下に配設されている構造である。これにより、前記第２の隔壁上面に設けられた蛍光体膜を放電領域に更に接近させ、効率良く励起発光させることができる。
【００２３】
また、前記課題の内のアドレス駆動の高速安定化については、第２隔壁全体が導電性を有しているために、データ電極と第２隔壁とは、アドレス放電時には強い電界のため、導通状態(同電位状態)になり、しかも第２隔壁が、走査電極(維持電極対の一方)に平行で、その下に位置するため、放電領域全面にわたって走査電極と第２隔壁とが近接するので、アドレス放電の低電圧化が達成できる。また、走査電極と対向しているデータ電極部分の対抗面積が、アドレス放電時には、第２隔壁とアドレス電極とは同電位なので結果的に大きくなり、高精細パネルにおいても十分に安定な放電が得られ、しかも高速アドレス放電が可能となる。
【００２４】
さらに、放電ガス中のＸｅ量を従来の５％より増加させ、自己吸収のあるＸｅの共鳴線による紫外線でなく、自己吸収が少なく放電領域が減縮され易いＸｅの分子線による紫外線を主に用いることで、さらに輝度効率を向上させる。
【発明の効果】
【００２５】
本発明により、放電によって発生する紫外線を効率よく蛍光体に照射することができ、高輝度、高発光効率化が可能である。
【発明を実施するための最良の形態】
【００２６】
（第１の実施の形態）
以下、本発明の実施の形態を添付の図面を参照しながら説明する。
【００２７】
図１は本第１実施の形態におけるＰＤＰの背面パネルの要部構造を示す斜視図である。背面パネルに対する前面パネルの位置関係を分かりやすくするために、同図では前面パネル面の表示電極１２のみを重ねて描いている。背景技術の項で説明した図４における構成部材と同一の構成部材には同一の符号を付け、その説明を省略する。
【００２８】
隔壁１はデータ電極を設けたガラス基板上に比抵抗値が１０13Ω・ｃｍ以上の絶縁性の低融点ガラス及び白色酸化物、と感光性有機物の混合物からなる感光性ペーストを塗布し、データ電極方向にストライプ状の露光パターンを有するフォトマスクを用いて露光工程、現像工程を経て作製され、その比抵抗値は１０12Ω・ｃｍ以上の絶縁性を有している。その結果、隔壁１は１５μｍ以下の薄くて、チャージアップを防止するために半絶縁性（抵抗値が１０12Ω・ｃｍ〜１０9Ω・ｃｍ）を持つ誘電体層１５の表面の幅５０μｍのデータ電極２２間に、データ電極２２と平行に直線状に作製される。なお、背面パネル上の誘電体層１５については、必須のものではなく、省略しても良い。
【００２９】
放電セルは前面パネルに設けられた表示電極１２と前記データ電極２２との交差部において、左右の第１の隔壁１にかこまれた領域に形成される。同図の場合、データ電極２２方向の第１の隔壁１は高さが約１１０μｍであって、幅が底面で約８０μｍ、頂部で約４０μｍである。また、蛍光体一色のセル幅は、４２インチのフルスペックのハイビジョンテレビを想定し、０．１６ｍｍとした。更に、各放電セル内で幅１００μｍの表示電極対１２に平行で、対をなす表示電極１２の中間線の直下に、第１の隔壁１より低い第２の隔壁２が設けられており、第２の隔壁が左右の第１の隔壁１を表示電極１２のピッチで横串をさすように接続している。本実施の形態では、第２の隔壁の高さを５０μｍで底面で約８０μｍ、頂部で約５０μｍに設定した。なお、第２の隔壁の高さを第１の隔壁の高さよりも低くしたのは、放電が隔壁によって妨げられないようにするため、および排気工程、放電ガス導入工程において、流体抵抗を低くするためである。
【００３０】
また第２の隔壁は、アドレス放電中にデータ電極２２と同電位（導通）を保つため、絶縁性の低融点ガラスと導電性を有する酸化物(例えば、酸化インジウム、酸化ルテニウム、、酸化パラジウム、酸化鉄、酸化マンガン、酸化チタン等)あるいは、金属(例えば銀、銅、金、クロム)の混合物と、感光性有機物の混合物からなる感光性ペーストを塗布し、データ電極と直交方向にストライプ状の露光パターンを有するフォトマスクを用いて露光後、現像、焼成を経て作製され、その比抵抗値は１０Ω・ｃｍ〜１０8Ω・の導電性を有している。
【００３１】
隣接する一連の放電セルを構成する第１の隔壁１の側面および底面にはデータ電極２２毎に赤色、緑色、青色の蛍光体が順次、塗布されている。第２の隔壁の側面および上面にも同様に蛍光体が塗布されている。Ｒは（Ｙ，Ｇｄ）ＢＯ3：Ｅｕを用いた赤色蛍光体、Ｇは（Ｙ，Ｇｄ）ＢＯ3：ＴｂとＺｎ2ＳｉＯ4：Ｍｎの混合したものを用いた緑色蛍光体、ＢはＢａＭｇＡｌ10Ｏ17：Ｅｕを用いた青色蛍光体を示す。ＰＤＰにおいては、前面パネルの表面に形成された表示電極１２が前記データ電極２２に垂直になるように前面パネル１０と背面パネル２０とが重ねられ、少なくともＸｅの量が５％以上の放電ガス（残部をＮｅを主体とし、Ａｒ，Ｈｅ，Ｈ2を少量添加）を全圧力が２．５×１０4Ｐａ〜８×１０4Ｐａとなるように導入した後、封止用ガラスにより封止され、ガラス基板間の空隙に放電ガスが充填される。同一の走査電極１２に属し、隣接する３色の蛍光体Ｒ，Ｇ，Ｂを有する放電セルが１画素を構成する。
【００３２】
以上のような隔壁１、２は次のような工程によって作製される。
【００３３】
隔壁２の作成工程。
【００３４】
まず、データ電極２２のパターンを備えたガラス基板２１上に、低融点ガラスと少量の導電性のフィラー（酸化インジウム、酸化マンガン、酸化チタン、酸化ルテニウム、金属等の混合物）から成る比抵抗値が１０9Ω・ｃｍ〜１０12Ω・ｃｍの半絶縁性の誘電体層１５を約１５μｍの厚さで作成後、第２隔壁用の感光性ペーストを、例えばダイコータ法により６０μｍの厚さに塗布し、第２隔壁用の塗布膜を形成する。なお、ガラス基板２１の誘電体層１５については、必須のものではなく、工数を低減するために省略しても良い。
【００３５】
この第２隔壁用の感光性ペーストは、酸化ケイ素と酸化ホウ素を主成分とする比抵抗値が１０13Ω・ｃｍ以上の絶縁性ガラス粉末と、導電性を有する酸化物(例えば、酸化インジウム、酸化ルテニウム、酸化鉄)あるいは、金属(例えば銀、銅、金、クロム)の混合物と、γ−ブチロラクトンを溶剤とする感光性ポリマーからなるペーストである。
【００３６】
ここで、塗布した第２隔壁用の感光性の塗布膜を必要に応じて乾燥などを行った後、表示電極１２方向に平行なストライプ状の露光パターンを有するフォトマスクを用いて露光後、現像と乾燥を経て、第２の隔壁用の隔壁部を作成する。
【００３７】
隔壁１の作成工程。
【００３８】
次に、比抵抗値が１０13Ω・ｃｍ以上の絶縁性の低融点ガラスと、白色絶縁性酸化物（主成分が酸化アルミニウムや酸化チタン）と、γ−ブチロラクトンを溶剤とする感光性ポリマーからなる感光性ペーストを用いて、データ電極２２と、半絶縁性の誘電体層１５および、第２隔壁部が形成されたガラス基板２２上に、同様の塗布方法により約５０μｍの厚さに上記感光性ペーストを塗布し、第１隔壁層用の塗布膜を形成する。必要に応じて乾燥などを行った後、データ電極２２方向にストライプ状の第１の隔壁用の露光パターンを有するフォトマスクを用いて露光し、現像すると、図１に示すような、隔壁の高さがより高い第１の隔壁１と、隔壁の高さが低く、導電性を有する第２の隔壁２が形成される。パターン形成された低融点ガラス粉末を含む隔壁１、２をガラス基板２１と共に、焼成などの加熱手段により固化する。得られた第１の隔壁１および第２の隔壁２の高さは、それぞれ１１０μｍ、５０μｍであった。
【００３９】
また焼成後の、第１隔壁と第２隔壁の比抵抗値は、それぞれ、１×１０13Ω・ｃｍ〜５×１０13Ω・ｃｍと、１０Ω・ｃｍ〜１０8Ω・ｃｍであった。
【００４０】
蛍光体層の形成については、データ電極２２に平行な第１の隔壁１間の溝に、複数本の吐き出し口を有するノズルから蛍光体用塗料を流し込むことによって、第１の隔壁１間に厚さ約１５μｍの蛍光体層が形成される。
【００４１】
図２は、放電セルにおいて、維持放電時の放電領域と蛍光体層との位置関係を示す断面図である。同図（Ａ）は対をなす表示電極１２の中間線に沿って切断した場合の断面図であり、同図（Ｂ）は表示電極１２に垂直方向に切断した場合の断面図である。維持放電時、対をなす表示電極１２を軸とする円弧状に沿面放電が発生する。またこの時、表示電極対間に印加された電界は、保護層１６の表面近傍が放電空間中では最も高くなっており、従って発生する紫外線の強度もこの近傍が高い。図２（Ｂ）より、表示電極１２の中間線の直下に設けられている第２の隔壁２上面に塗布された蛍光体層は、背面板の底部から凸状になっており、この放電領域に最も近接しているため、放電によって発生した紫外線を効率よく受け、より強い可視光を発光させることができる。
【００４２】
また、ハイビジョンテレビのような高精細のパネルにおいて、輝度を向上させためには、第１隔壁の隔壁幅を細くして開口率を向上させなければならない。しかし、第１隔壁の幅を細くすると、第１隔壁形成時に隔壁が、変形したり、倒壊したりしやすくなる。
【００４３】
ところが、本願の第２の隔壁は、第１隔壁に垂直な構成となっているために、構造上隔壁の倒壊や、変形を防止できる効果がある。
【００４４】
また、図２は、放電セルにおいて、アドレス期間の放電領域と第２隔壁との位置関係を示す断面図でもある。同図（Ａ）は対をなす表示電極対１２の中間線に沿って切断した場合の断面図であり、同図（Ｂ）は表示電極対１２に垂直方向に切断した場合の断面図である。同図（Ｂ）より、表示電極対１２の一方の走査電極とデータ電極２２の物理的距離は、第２隔壁２が絶縁体ならば、それがある場合もない場合も同じであるが、第２隔壁が導電性であれば、データ電極２２と同電位になり、物理的距離は第２隔壁の高さ分だけ短くなり、放電電圧が低下する。
【００４５】
また同図（Ａ）からは、表示電極対１２と第２隔壁とは、平行でしかも表示電極対部の下部に来ているために（1セル全面に来ているために）、対向放電を発生する対向電極として有効になる対向面積が特許文献３より大幅に増加し、安定な放電が得られる。
【００４６】
図３は比較のために、従来の放電セルにおいて、維持放電時の放電領域と蛍光体層との位置関係を示す断面図である。同図（Ａ）は対をなす表示電極１２の中間線に沿って切断した場合の断面図であり、同図（Ｂ）は表示電極１２に垂直方向に切断した場合の断面図である。第２の隔壁がないために、対をなす表示電極を軸とする円弧状の放電領域から蛍光体表面までの間隔の平均値は図２の場合より大きい。この構造の場合、放電セルから発射される可視光の分布を顕微鏡で観察すると、隔壁１の側面に塗布した楕円で囲んだ部分の蛍光体膜の発光輝度が最も大きく、底面に塗布した蛍光体層からの発光輝度は小さい。
【００４７】
また第２の隔壁がないために、アドレス時の走査電極とデータ電極間の放電電圧が上昇し高速で安定なアドレス放電が行われにくくなる。
【００４８】
なお、特許文献１および２に記載されている従来の井桁構造では、表示電極１２方向の第２の隔壁を備えているが、その位置は表示電極対の下部ではなく、ブラックストライプの下部の非表示領域であり、放電領域からの距離は大きい。よって、発光輝度は増大しない。
【００４９】
上記、第１実施の形態で作成したパネルに於いて、Ｘｅガス濃度を変え、維持周波数２００ＫＨｚでパネルを駆動させて全面白色画像を表示し、その点灯時の輝度とアドレス放電の誤放電に起因する画面のちらつきを観察した。その結果を表１-表６に示す。
【００５０】
【表１】
2007012493.tif 000003
【００５１】
【表２】
2007012493.tif 000004
【００５２】
【表３】
2007012493.tif 000005
【００５３】
【表４】
2007012493.tif 000006
【００５４】
【表５】
2007012493.tif 000007
【００５５】
【表６】
2007012493.tif 000008
【００５６】
表1-表６は、第１の隔壁の高さを一定値１１０μｍにして、第２の隔壁の高さを０μｍ〜９０μｍの間で変化させ、又放電ガス中のＸｅの量を５％、１５％、２５％、５０％、９９％まで変化させたサンプルを作製し、これらのパネル輝度比及び画面の安定性（ちらつきの有無）と第２の隔壁の高さの関係を測定し、そのデータをまとめたものである。
【００５７】
すなわち各表は、表1がＸｅ濃度が５％の場合、表２がＸｅ濃度１０％の場合、表３がＸｅ濃度１５％の場合、表４がＸｅ濃度２５％の場合、表５がＸｅ濃度５０％の場合、表６がＸｅ濃度９９％の場合の輝度とパネル画面評価を行った結果である。なお各表は、第２隔壁の高さと、第１隔壁に対する高さ比を第２隔壁の高さが０μｍの時の輝度を１として、第２隔壁の高さを増やした時の各パネルの輝度比を表した結果である。
【００５８】
１）Ｘｅの量が５％の場合（表１）の結果
従来例におけるＰＤＰの場合、つまりＸｅの量が５％で、第１の隔壁の高さが１１０μｍで、第２の隔壁が無い場合、パネルの発光輝度は約３５０ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．５１倍になっている。また更に第２の隔壁を高くすると徐々にパネル輝度比は低下し、９０μｍでは、０．９８となり、第２隔壁の高さが９０μｍを越えると、第２隔壁の効果はなくなることが判る。従って、第２隔壁の有効な高さは３０μｍ〜７０μｍである。
【００５９】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、第２隔壁がデータ電極となるため、放電は安定で画面のちらつきがない。また８０μｍ以上になると放電電圧の低下は大きくなるが、放電電流が増大し、不純ガスが出て、画面のちらつきが再び増大する。
【００６０】
従って、輝度と同様に第２隔壁の有効な高さは３０μｍ〜７０μｍである。
【００６１】
２）Ｘｅの量が１０％の場合（表２）の結果
Ｘｅの量が１０％で、第１の隔壁の高さが１１０μｍで、第２の隔壁が無い場合、発光輝度は約３９５ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．６倍になっており、輝度が最大となる第２隔壁の高さは、Ｘｅ５％の時と変わらないが、輝度の上昇率は大きくなっている。また更に第２の隔壁を高くすると徐々にパネル輝度比は低下し、９０μｍでは、０．９７となり、第２隔壁の効果はなくなることが分かる。しかし、Ｘｅ５％の時と比べて第２の隔壁の高さが６０μｍ、と７０μｍの時のパネルの輝度比の低下は、少なくなっていることが判る。
【００６２】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、第２隔壁がデータ電極となるため、放電は安定で画面のちらつきがない。また８０μｍ以上になると放電電圧の低下は大きくなるが、放電電流が増大し、不純ガスが出て、画面のちらつきが再び増大することが判る。
【００６３】
３）Ｘｅの量が１５％の場合（表３）の結果
Ｘｅの量が１５％で、第１の隔壁の高さが１１０μｍで、第２の隔壁が無い場合、発光輝度は約４１７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．５９倍になっており、輝度が最大となる第２隔壁の高さは、Ｘｅ５％の時と変わらないが、輝度の上昇率は大きくなっている。
【００６４】
また更に第２の隔壁を高くすると徐々にパネル輝度比は低下し、９０μｍでは、０．９９となり、第２隔壁の効果はなくなることが分かる。しかし、Ｘｅ５％の時と比べて第２の隔壁の高さが６０μｍ、と７０μｍの時のパネルの輝度比はそれぞれ１．５２倍、１．３２倍であり、Ｘｅ５％の同じ隔壁高さの時の１．２９倍、１．２０倍と比べると上昇率が大きいことが判る。これは、Ｘｅ濃度が１５％と増加したためである。
【００６５】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、第２隔壁がデータ電極となるため、放電は安定で画面のちらつきがない。また８０μｍ以上になると放電電圧の低下は大きくなるが、放電電流が増大し、不純ガスが出て、画面のちらつきが再び増大するこが判る。
【００６６】
４）Ｘｅの量が２５％の場合（表４）の結果
Ｘｅの量が２５％で、第一の隔壁の高さが１１０μｍで、第２の隔壁が無い場合、発光輝度は約４３７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約５０μｍでパネル輝度比が最大で１．６１倍になっておりＸｅ５％の時より向上している。
【００６７】
また更に第２の隔壁を高くすると徐々にパネル輝度比は低下し、９０μｍでは、０．９５となり、第二隔壁の効果はなくなることが判る。しかし、Ｘｅ５％の時と比べて第二の隔壁の高さが６０μｍ、と７０μｍの時のパネルの輝度比はそれぞれ１．５２倍、１．４３倍であり、Ｘｅ５％の同じ隔壁高さの時の１．２９倍、１．２０倍と比べると上昇率が大きいことが判る。これは、Ｘｅ濃度が２５％と増加したためである。
【００６８】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、第２隔壁がデータ電極となるため、放電は安定で画面のちらつきがない。また８０μｍ以上になると放電電圧の低下は大きくなるが、放電電流が増大し、不純ガスが出て、画面のちらつきが再び増大することが判る。
【００６９】
５）Ｘｅの量が５０％の場合（表５）の結果
Ｘｅの量が５０％で、第一の隔壁の高さが１１０μｍで、第２の隔壁が無い場合、発光輝度は約４５７ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約６０μｍでパネル輝度比が最大で１．６倍になっており、Ｘｅ５％の時よりパネル輝度が最大となる第２の隔壁の高さが高い側にシフトしている。
【００７０】
また、更に第２の隔壁を高くすると徐々にパネル輝度比は低下するが、第２の隔壁の高さが８０μｍでも、１．０３倍の値を保っており、第２隔壁の効果は存在している。また、Ｘｅ５％の時と比べて第二の隔壁の高さが７０μｍ、８０μｍの時でもパネルの輝度比は、それぞれ１．４２倍、１．０３倍であり、Ｘｅ５％の同じ隔壁高さの時の１．０倍、０．９８倍と比べると上昇率が大きいことが判る。これは、Ｘｅ濃度が５０％と増加したためである。
【００７１】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、第２隔壁がデータ電極となるため、放電は安定で画面のちらつきがない。また８０μｍ以上になると放電電圧の低下は大きくなるが、放電電流が増大し、不純ガスが出て、画面のちらつきが再び増大することが判る。
【００７２】
６）Ｘｅの量が９９％の場合（表６）の結果
Ｘｅの量が５０％で、第一の隔壁の高さが１１０μｍで、第２の隔壁が無い場合、発光輝度は約４７８ｃｄ/cm2であり、この輝度を１．０として、第２の隔壁の高さを徐々に３０μｍから９０μｍまで高くするに従ってパネル輝度は第２の隔壁が無い場合に比べて増大し、その高さが約６０μｍでパネル輝度比が最大で１．６倍になっており、Ｘｅ５％の時よりパネル輝度が最大となる第２の隔壁の高さが高い側にシフトしている。
【００７３】
また、更に第２の隔壁を高くすると徐々にパネル輝度比は低下するが、８０μｍでも、１．０５の値を保っており、第２隔壁の効果は存在している。しかし、Ｘｅ５％の時と比べて第二の隔壁の高さが７０μｍ、８０μｍの時でもパネルの輝度比は、それぞれ１．５倍、１．０５倍であり、Ｘｅ５％の同じ隔壁高さの時の１．２倍、１．０倍と比べると上昇率が大きいことが判る。これは、Ｘｅ濃度が９９％と増加したためである。
【００７４】
一方、ハイビジョン画像を表示した時のアドレス放電の不安定性（書き込み動作の不安定性）に起因する画面のちらつきについての評価は、第２の隔壁が無い場合は、アドレス放電が不安定で画面のちらつきが大きい。しかし導電性の第２隔壁が３０μｍ〜７０μｍの間は、放電は安定で画面のちらつきがない。また８０μｍ以上になると放電電圧の低下は大きくなるが、第２隔壁がデータ電極となるため、放電電流が増大し、不純ガスが出て、画面のちらつきが再び増大することが判る。
【００７５】
従って、この上記表１−表６の実験結果により、Ｘｅ濃度が５％−１０％までは、第２の隔壁の高さは第１の隔壁の高さの２７％−７３％までにするとは効果があるが、より好ましくは、第２の隔壁の高さを第１の隔壁の高さの２７％〜６４％程度に設定することである。
【００７６】
Ｘｅ濃度が１０％−２５％までは、第２の隔壁の高さは第１の隔壁の高さの２７％−６４％までは効果があるが、より好ましくは、第２の隔壁の高さを第１の隔壁の高さの３０〜６４％程度に設定することである。
【００７７】
Ｘｅ濃度が２５％−９９％までは、第２の隔壁の高さは第１の隔壁の高さの２７％−７３％までは効果があるが、より好ましくは、第２の隔壁の高さを第１の隔壁の高さの３６〜８２％程度に設定することである。
【００７８】
また、表１-表６より、Ｘｅの量を従来の５％以上、特に、Ｘｅの量を１０％−９９％に増加すると絶対輝度がさらに高くなり、パネル輝度比が最大になる第２の隔壁の高さが高い方にシフトする理由は、Ｘｅ濃度が増加するに従い、Ｘｅから発せられる紫外線量が増加するのに加え、紫外線の種類が自己吸収のある共鳴線から自己吸収のない分子線に移行するためと、分子線が放電が凝縮しやすくなるため（放電領域が小さくなるため）と考えられる。従って、表示電極対に平行で蛍光体が塗布された第２の隔壁が、表示電極の下方に存在していることと、Ｘｅ濃度が１０％以上と多いパネル構成でフルスペックのハイビジョンのような高精細パネルでも輝度と効率の高いパネルの作成が可能となる。
【産業上の利用可能性】
【００７９】
本発明によりＰＤＰの発光輝度、発光効率の向上とアドレスの高速化が可能になり、放電容積に対する発光効率を高めることができるため、その産業上の効果は大である。
【図面の簡単な説明】
【００８０】
【図１】本発明の実施の形態１におけるＰＤＰ背面パネルの斜視図
【図２】本発明における維持放電時の放電領域と蛍光体膜との位置関係を示す断面図
【図３】従来例における維持放電時の放電領域と蛍光体膜との位置関係を示す断面図
【図４】従来の３電極面放電型プラズマディスプレイパネル（ＰＤＰ）の斜視図
【図５】特許文献１および２におけるＰＤＰ背面パネルの斜視図
【符号の説明】
【００８１】
１    第１の隔壁
２    第２の隔壁
１０    前面パネル
１１    ガラス基板
１２    表示電極
１５    誘電体層
１６    保護膜
１７    放電セル
２０    背面パネル
２１    ガラス基板
２２    データ電極
２３    隔壁
２４    蛍光体層
【図１】
2007012493.tif 000009
【図２】
2007012493.tif 000010
【図３】
2007012493.tif 000011
【図４】
2007012493.tif 000012
【図５】
2007012493.tif 000013